(57)【要約】【課題】作業者の手によってズボン類を吊り下げる作業に好適に使用することができる、ワンタッチ式ズボンハンガーを提供する。【解決手段】作業者の手によってズボン類を吊り下げる作業に使用するハンガーとして、中央に位置する中枠１１を有し、かつその左右に隙間１２、１３を設けて位置した、一対の外枠１４、１５を有する本体１６と、中枠の左右に軸支され、外方の端部にて上記外枠に当接し隙間を閉じるように設けられた一対のクランプ爪１７、１８と、上記クランプ爪を内部上方から外部下方へ回転する方向へ付勢する弾性部材１９、２０と、クランプ爪の内方の端部に接触して作用し、上記弾性部材に抗してクランプ爪を回転させることによりクランプ爪をワンタッチで開く作用部材２２を具備し、ズボン類の左右の裾を重ね合わせて左右のクランプ爪と外枠との間の隙間に挟み込み、裾を保持してズボン類を保持するものとする。【選択図】          図１
2008194155.tif 000002
【特許請求の範囲】
【請求項１】
作業者の手によってズボン類を吊り下げる作業に使用するハンガーであって、
中央に位置する中枠を有し、かつその左右に隙間を設けて位置した、一対の外枠を有する本体と、
中枠の左右に軸支され、外方の端部にて上記外枠に当接し隙間を閉じるように設けられた一対のクランプ爪と、
上記クランプ爪を内部上方から外部下方へ回転する方向へ付勢する弾性部材と、
クランプ爪の内方の端部に接触して作用し、上記弾性部材に抗してクランプ爪を回転させることによりクランプ爪をワンタッチで開く作用部材を具備し、
ズボン類の左右の裾を重ね合わせて左右のクランプ爪と外枠との間の隙間に挟み込み、ズボン類の裾を保持するようにしたことを特徴とする
ワンタッチ式ズボンハンガー。
【請求項２】
クランプ爪は、内部上方から外部下方へ回転可能に設けられていることにより、その外方の端部にズボンの荷重が加えられた時に、外枠との間にてズボン類の裾を挟み込む作用が強まる構成を有し、弾性部材はクランプ爪の上記回転を補助する力を発揮する請求項１記載のワンタッチ式ズボンハンガー。
【請求項３】
作用部材は、本体に可動的に取り付けられており、作用方向とは逆方向に付勢されている請求項１記載のワンタッチ式ズボンハンガー。
【請求項４】
本体には作業ラインに吊り下げ、移動させるための吊り下げフックが設けられており、作用部材は本体から突出するノブを有していて、ライン際に配置された解除手段によってノブが押されることによりクランプ爪をワンタッチで開くように構成された請求項１記載のワンタッチ式ズボンハンガー。
【発明の詳細な説明】
【技術分野】
【０００１】
本発明は、作業者の手によってズボン類を吊り下げる作業に使用する、ワンタッチ式ズボンハンガーに関するものである。
【背景技術】
【０００２】
例えば、リネンサプライ業と呼ばれる分野では、様々な衣類や布類を回収して洗濯し、配送する作業が繰り返される。このため多くの作業が機械化されているが、作業ラインに衣類を投入する工程では、幾つかの手作業が必要とされている。また、取り扱う衣類は上着又は浴衣のように上着型構造を有するものが多く、ズボン型のものは上着型のものよりも少数であり、かつ形状も単純であるため取り扱い上の困難性も左程大きいものとは考えられていなかった。しかし、取扱量や、仕上がり品質の均一性などを考慮すると、上着と同じように自動で処理することが望ましい。
【０００３】
衣類を投入するために使用される装置には、例えば特開２００５−８７２２３号や特開２００５−８７３２１号の発明があるが、これらに用いられている整形体は浴衣のように上着型構造を有するものには適するものの、ズボン類の整形、投入には適当ではない。また、特開平１０−６７４１３号に見られる搬送用ハンガーの発明は、浴衣のような上着型構造を有する衣類を対象としている。一方、米国特許第５９６４３５４号はリネンサプライ業用ではないものの、パンツ型の衣類を掛けて搬送することも対象になっており、使用しているハンガーは針金を曲げたような形状に図示され、ズボン類を扱うために特に工夫されたものとは思われない。
【０００４】
【特許文献１】特開２００５−８７２２３号
【特許文献２】特開２００５−８７３２１号
【特許文献３】特開平１０−６７４１３号
【特許文献４】米国特許第５９６４３５４号
【発明の開示】
【発明が解決しようとする課題】
【０００５】
本発明は前記の点に着目してなされたものであり、その課題は、作業者の手によってズボン類を吊り下げる作業に使用することができる、ワンタッチ式ズボンハンガーを提供することである。また本発明の他の課題は、ズボン類の取り付け及び取り外しを著しく容易に行なうことができるワンタッチ式ズボンハンガーを提供することである。また本発明の他の課題は、一旦取り付けたズボン類が脱落しにくく、取り外す作業はワンタッチで行なえるワンタッチ式ズボンハンガーを提供することである。
【課題を解決するための手段】
【０００６】
前記の課題を解決するため、本発明は、作業者の手によってズボン類を吊り下げる作業に使用するハンガーとして、中央に位置する中枠を有し、かつその左右に隙間を設けて位置した、一対の外枠を有する本体と、中枠の左右に軸支され、外方の端部にて上記外枠に当接し隙間を閉じるように設けられた一対のクランプ爪と、上記クランプ爪を内部上方から外部下方へ回転する方向へ付勢する弾性部材と、クランプ爪の内方の端部に作用し、上記弾性部材に抗してクランプ爪を回転させることによりクランプ爪をワンタッチで開く作用部材を具備し、ズボン類の左右の裾を重ね合わせて左右のクランプ爪と外枠との間の隙間に挟み込み、ズボン類の裾を保持するように構成するという手段を講じたものである。請求項１記載の発明。
【０００７】
本発明に係るズボンハンガーは、ズボン類を吊り下げるために使用するものであって、吊り下げ後に行なわれる作業は、自動で進められるという意図のもとになされている。この意図を有する本発明のハンガーでは、ズボン類をハンガーに取り付けることで作業が開始され、ハンガーから取り外すことで作業が終了し、これらの作業が円滑に行なわれることにより、その目的が達成されたことになる。つまり、ズボン類をハンガーに取り付ける作業だけを作業者が行なえば良い。
【０００８】
本発明に係るズボンハンガーは、中央に位置する中枠を有し、かつその左右に隙間を設けて位置した、一対の外枠を有する本体と、中枠の左右に軸支され、外方の端部にて上記外枠に当接し隙間を閉じるように設けられた一対のクランプ爪と、上記クランプ爪を内部上方から外部下方へ回転する方向へ付勢する弾性部材と、クランプ爪の内方の端部に接触して作用し、上記弾性部材に抗してクランプ爪を回転させることによりクランプ爪をワンタッチで開く作用部材を具備する。
【０００９】
本体は、中枠とその左右に位置する外枠とを有しており、中枠と両外枠の間には、夫々隙間が設けられる。この隙間は、ズボン類を取り付ける箇所になるもので、ズボン類は、上下逆様にしてその裾を取り付ける方式を取り、そのために左右の外枠の内のりを、対象とするズボン類の裾幅よりも小さい間隔に設定する。
【００１０】
中枠には、一対のクランプ爪をその左右両側にて軸支し、外方の端部にて上記外枠に当接し隙間を閉じるようにする。これらのクランプ爪は、内部上方から外部下方へ回転する方向へ回転可能に軸支されていることが必要であり、このことにより、ズボン類の裾を下から上へ差し込むことを可能とし、クランプ爪と外枠との間に、裾を簡単に、挟み込むことができるようになる。また、上記クランプ爪は内部上方から外部下方へ回転する方向へ弾性部材を用いて付勢することによって、僅かな力で閉じ、かつ、裾を止めることができるものとする。
【００１１】
即ち、クランプ爪は、内部上方から外部下方へ回転可能に設けられていることにより、その外方の端部にズボン類の荷重が加えられたときに、外枠との間にてズボン類の裾を挟み込む作用が強まる構成を有し、弾性部材はクランプ爪の上記回転を補助する力を発揮する。ズボン類の荷重が裾を介してクランプ爪に伝えられるとそれを閉じる方向に作用し、保持力を高めるように作用する。請求項２記載の発明。
【００１２】
さらにクランプ爪には、クランプ爪の内方の端部に接触して作用し、上記弾性部材に抗してクランプ爪を回転させることによりクランプ爪をワンタッチで開く作用部材を具備する。クランプ爪によるズボン類の裾に対するクランプ作用は、この作用部材によって解除されることになる。作用部材は、クランプ爪に接触しており、クランプ爪には内部上方から外部下方へ回転する方向へ弾性部材が作用しているので、弾性部材の作用は、作用部材にも働くことになる。しかし、弾性部材の作用力は前記のとおり弱くても良いので、作用部材の復元力としては十分でない場合も予測される。そこで、作用部材の機能上必要な力を補うために、作用方向とは逆方向に付勢することができる。請求項３記載の発明。
【００１３】
ズボン類は、その左右の裾を重ね合わせて左右のクランプ爪と外枠との間の隙間に挟み込み、ズボン類の裾を保持するものとする。これは、左右の外枠の内のりを、対象とするズボン類の裾幅よりも小さい間隔に設定するという前記の事項に関係するもので、これによりズボン類の裾の左右を挟み込ませれば良いので、取り付け作業が容易になる。なお、本体には作業ラインに吊り下げ、移動させるための吊り下げフックを設け、作用部材には本体から突出するノブを有するものとし、ライン際に配置された解除手段によりノブが押されるときに、クランプ爪をワンタッチで開くように構成することができる。請求項４記載の発明。このように構成することは、ズボン類をハンガーから取り外す作業を自動的に行なうことができるので、好適な実施形態の一つであるといえる。
【発明の効果】
【００１４】
本発明は以上のように構成されかつ作用するものであるから、まず、作業者の手によってズボン類を吊り下げる作業に好適に使用することができる、ワンタッチ式ズボンハンガーを提供することができるという効果を奏する。また、本発明によれば、ズボン類の裾を下から上へ差し込むことによりその取り付けを簡単に行なうことができ、かつ、作用部材により、裾の取り外しを著しく容易に行なうことができるワンタッチ式ズボンハンガーを提供することができる。また、本発明によれば、一旦取り付けたズボン類が脱落し難く、取り外す作業はワンタッチで行なえるワンタッチ式ズボンハンガーを提供することができる。
【発明を実施するための最良の形態】
【００１５】
以下図示の実施形態を参照しつつ本発明をより詳細に説明する。図１は、本発明に係るワンタッチ式ズボンハンガー１０の一例を示すもので、中央に位置する下向きの中枠１１を有し、かつその左右に隙間１２、１３を設けて、同じく下向きに配置した、一対の外枠１４、１５を有する、左右ほぼ対称な本体１６を具備している。中枠の下部は左右にやや幅広くなった部分１１ａ、１１ｂが設けられており、その結果左右の隙間１２、１３が狭められている。
【００１６】
中枠１１の左右の幅広の部分１１ａ、１１ｂには、外方の端部にて上記外枠１４、１５に当接し隙間１２、１３を閉じるように設けられた一対のクランプ爪１７、１８が軸支されている。一対のクランプ爪１７、１８は内部上方から外部下方へ回転可能に設けられており、かつ、上記クランプ爪１７、１８に対しては、一端を中枠１１の左右のばね受けに配置し、他端をクランプ爪１７、１８に配置した弾性部材１９、２０を設け、クランプ爪１７、１８を内部上方から外部下方へ回転する方向へ付勢している。２１ａ、２１ｂはブッシュベアリングを示す。
【００１７】
弾性部材１９、２０は、クランプ爪１７、１８の回転を補助する力を発揮する必要最小限度の作用力を有しているものとする。クランプ爪１７、１８の上記回転を補助する力を最小限度とすることにより、クランプ爪１７、１８は確実に外枠１４、１５に接触する位置を取るとともに、クランプ爪１７、１８を逆方向へ回転させ、隙間１２、１３を開くときに必要な作用力を低減することができる。クランプ爪１７、１８は、その外方の端部が２箇所の回転軸芯を通る線Ｈに抜け出さない程度に近い位置を取り、裾を挟んだときには上記線Ｈよりもやや浅くなる角度にて回転が止まるようにし、ズボン類４０の保持の確実性と、取り外すときの容易性が両立するように設定する。
【００１８】
上記のクランプ爪１７、１８には、クランプ爪１７、１８の内方の端部に接触して作用し、前記の弾性部材１９、２０に抗してクランプ爪１７、１８を回転させることによりクランプ爪１７、１８をワンタッチで開き、ズボン類４０の裾に対するクランプ作用を解除する作用部材２２を具備するものとする。作用部材２２は、本体中枠１１の中心部に設けられたセット孔部分２３に上下方向へ移動可能に組み込まれており、下方の端部２４でクランプ爪１７、１８に接触し、上方の端部２５には、外部操作のために本体１６から突出するノブ２６を設けている。
【００１９】
上記の作用部材２２には、作用方向とは逆方向、即ちノブ２６を突出させる方向へ付勢する手段２７として弾性部材を作用させるものとする。この付勢手段２７としての弾性部材の作用力は、前記のとおり弱くても良い弾性部材１９、２０による復元力としては十分でない作用力を補うものである。クランプ爪１７、１８には内部上方から外部下方へ回転する方向へ弾性部材１９、２０の作用力は、作用部材にも働くことになるからこれを補う作用力が得られれば十分であるからである。付勢手段２７は、作用部材２２に設けられた設置部に配置され、設置部上端２８を上方へ加圧し、下端は本体に設けられた支持部２９に支持されている（図  参照）。
【００２０】
本体１６には、本発明に係るハンガーを作業ラインに吊り下げ、移動させるための吊り下げフック３０を設けている。フック３０は本体１６に支軸３１により取り付けられ、本体１６から突出するノブ２６の上方に位置する吊り鈎部３２を有し、ライン際に配置された解除手段３３によりノブが押されるように構成されている（図７参照）。
【００２１】
このように構成されている本発明に係るワンタッチ式ズボンハンガー１０では、ズボン類４０を裾から隙間１２、１３に挿入して取り付ける。取り付けの手順は、図２ないし図４に詳細に示されている。図２Ａは、ズボン類４０の裾の隙間１２、１３に挿入する２点３９、３８を示しており、図２Ｂ、Ｃは、その内の一方３８を、クランプ爪１７を押し上げて、まず隙間１２に挿入することを示しており、図３では、裾の一方３８を隙間１２の上方まで深く挿入して保持することを示している。次いで、図４に示すように、裾をほぼＵ字型に曲げ、裾の他方３９を隙間１３にクランプ爪１８を押し上げて挿入し保持する。
【００２２】
取り付け後の状態は図５に示しているとおりで、ズボン類４０は、その左右の裾を重ね合わせて、ほぼＵ字型に曲げられ、左右のクランプ爪１７、１８と外枠１４、１５との間の隙間１２、１３に挟み込まれた状態になる。すなわち本発明に係るズボンハンガー１０取り付けられたズボン類４０は、上下逆に吊り下げられた状態で工程を移動する。なお、図６はクランプ爪１７、１８と、作用部材２２等の作動上の関連構成を示しており、図６Ａはクランプ爪１７、１８が空の状態、図６Ｂは裾が保持された状態で、その厚み分だけクランプ爪１７、１８が傾斜を増している。図６Ｃはフック部３２を固定として、作用部材２２を、付勢手段２７に抗して矢印のように押し下げた状態であり、クランプ爪１７、１８が隙間１２、１３を開くので、図６Ｄに示すように、クランプ爪１７、１８の左右幅は中枠１１の幅程度まで狭まり、その結果、ズボン類４０の裾はほとんど抵抗なく抜け出せることとなる。
【００２３】
さらに図７を参照して、本発明に係るワンタッチ式ズボンハンガー１０により、ズボン類４０を工程に投入する構成について説明する。図７において、３４はズボン類搬送部、３５はハンガー引き抜き部、３６は係止部、３７は受け渡し部を夫々示す。ズボン類４０は、上下逆に吊り下げられた状態で、ズボン類搬送部３４により移動し、次工程への受け渡し点に達すると（図７Ａ）、フック部３２が、ズボン類搬送部３４の係止部３６から、その下部に位置している受け渡し部３７に移され、本発明に係るワンタッチ式ズボンハンガー１０は、その下面を位置決め部４１によって受け支えられて所定の角度で停止し、ズボン類４０はコンベア４２の上まで誘導される。ここで、受け渡し部３７側にある作用部材解除手段３３が作動し、ノブ２６を介して作用部材２２を押し下げるので、前記のようにクランプ爪１７、１８が閉じる方向へ回転し、隙間１２、１３を開くので、ズボン類４０の裾部に対する保持が解除され（図７Ｂ）、その後、ハンガー引き抜き部３５によりズボンハンガー１０が移動してズボン類４０から抜け出し、ズボン類４０はコンベア上に残され（図７Ｃ）、投入工程が終わる。
【００２４】
本発明に係るワンタッチ式ズボンハンガー１０は、上記のように作用するものであり、ズボン類４０の裾をクランプ爪１７、１８により保持できることとなり、その保持は、クランプ爪１７、１８に挟まれている裾の楔のような効果により確実であるとともに、弾性部材１８、１９の作用によりクランプ爪１７、１８が踊るようなこともないので、安定に行なわれる。なお、本発明に係るワンタッチ式ズボンハンガー１０は、ズボン４０を裾で保持するようになっているので、全体の大きさが小型になり、解除手段３３の形状やストローク、位置等を始めとして各部の条件を、上着用のハンガーのそれらと同一のものとすることができるから、同一のシステムにおいて使用することができる。
【図面の簡単な説明】
【００２５】
【図１】本発明に係るワンタッチ式ズボンハンガーを示すもので、Ａは内部構造を示す正面図、Ｂは側面図。
【図２】同上の装置によるズボン類の取り付け手順を示すもので、Ａは取り付け前の正面図、Ｂは同じく拡大正面図、ＣはＢに対する側面図。
【図３】同じくズボン類の取り付け手順を示すもので、Ａは１箇所を取り付けた状態の正面図、ＢはＡに対する側面図。
【図４】同じくズボン類の取り付け手順を示すもので、Ａは残りの箇所を取り付けを示す正面図、ＢはＡに対する側面図。
【図５】本発明によりズボン類を取り付けた状態を示すものでＡは正面説明図、Ｂは図５ＡのＡ−Ａ線断面図。
【図６】本発明によりズボン類を取り付ける際のクランプ爪の位置を示すもので、Ａは取り付け前の、Ｂは取り付け後の、Ｃは取り外す際の、Ｄは取り外し中の、各状態を示す説明図。
【図７】本発明により、ズボン類を工程に投入するための一例を示すもので、Ａはズボン類が受け渡し点に達したときの、Ｂは解除手段が作動して作用部材を押し下げる際の、Ｃはズボンハンガーがズボン類から抜け出す際の、各状態を示す説明図。
【符号の説明】
【００２６】
１０  ワンタッチ式ズボンハンガー
１１  中枠
１２、１３  隙間
１４、１５  外枠
１６ａ、１６ｂ  幅広部分
１７、１８  クランプ爪
１９、２０  弾性部材
２１ａ、２１ｂ  ブッシュベアリング
２２  作用部材
２３  セット孔部分
２４  下方の端部
２５  上方の端部
２６  ノブ
２７  付勢手段
２８  設置部上端
２９  支持部
３０  フック
３１  支軸
３２  フック部
３３  解除手段
３４  ズボン類搬送部
３５  ハンガー引き抜き部
３６  係止部
３７  受け渡し部
３８  裾の一方
３９  裾の他方
４０  ズボン類
４１  位置決め部
４２  コンベア
【図１】
2008194155.tif 000003
【図２】
2008194155.tif 000004
【図３】
2008194155.tif 000005
【図４】
2008194155.tif 000006
【図５】
2008194155.tif 000007
【図６】
2008194155.tif 000008
【図７】
2008194155.tif 000009